(57)【要約】【課題】楽譜、ノート等の薄物演奏補助具と、譜面台、足台等の堅物演奏補助具とを干渉させることなく一緒に収容することができる演奏補助具の収容バッグを得る。【解決手段】上部に手提げ（３）及び上部口（７）を有する直方体状のバッグ（２）を設け、該バッグ（２）の底部に仕切り壁（４）によって上部室（５）と分割された底部室（６）を形成し、前記バッグ（２）の底部の側面に前記底部室（６）を開閉する側面開閉具（８ａ）を設ける。また、前記上部室（５）は楽譜類が収容できる容積とし、底部室（６）は束状に折り畳んだ譜面台（１５）が収容できる容積とする。また、側面開閉具（８ａ）は、底部室（６）の左右前後側面のうちの３側面を開閉する。【選択図】図１
0003125834.tif 000002
【実用新案登録請求の範囲】
【請求項１】
上部に手提げ（３）及び上部口（７）を有する直方体状のバッグ（２）を設け、該バッグ（２）の底部に仕切り壁（４）によって上部室（５）と分割された底部室（６）を形成し、前記バッグ（２）の底部の側面に前記底部室（６）を開閉する側面開閉具（８ａ）を設けたことを特徴とする演奏補助具の収容バッグ。
【請求項２】
上部室（５）は楽譜類が収容できる容積とし、底部室（６）は束状に折り畳んだ譜面台（１５）が収容できる容積としたことを特徴とする請求項１記載の演奏補助具の収容バッグ。
【請求項３】
側面開閉具（８ａ）は、底部室（６）の左右前後側面のうちの３側面を開閉してなることを特徴とする請求項１又は２記載の演奏補助具の収容バッグ。
【考案の詳細な説明】
【技術分野】
【０００１】
本考案は、楽譜、ノート等の薄物演奏補助具と、譜面台、足台等の堅物演奏補助具とを干渉させることなく一緒に収容することができる演奏補助具の収容バッグに関するものである。
【背景技術】
【０００２】
従来は、楽譜、ノート等の薄物演奏補助具、及び折り畳み可能な譜面台、足台等の堅物演奏補助具を携行する際に、薄物演奏補助具は内部が厚さ方向に複数仕切られた直方体状のバック内に区分け収容して携行し、堅物演奏補助具は折り畳んで専用の袋またはケースに収容して携行するようにしていた。このため、従来は楽器以外の小物が増えることになり、移動時に忘れ物をしたり、演奏補助具の出し入れに手数を要したりするものであった。
【０００３】
ところで、ウエア、タオル等の柔らかいものとシューズのような堅物とを一緒に収容するバックとして、特許文献１があった。即ち、上面に開口を有する直方体状のバックを設け、該バックの背面上部に左右方向に延びる開閉口を設け、この開閉口内側に、それ自身の開口部を前記開閉口に沿わせた状態で袋状収容部を取り付け、該袋状収容部をバック内に突出させ、前記上面の開口からウエア、タオル等の柔らかいものをバック内に収容し、前記背面上部の開閉口からシューズ等の堅物を前記袋状収容部に収容するようにしたものがあった。
【０００４】
前記特許文献１のものは、柔らかいものと堅いものとをバックの厚さ方向に並列に収容していたので、バック内で柔らかいものが堅いものによって変形されることになる。このため、例えば、前記上面の開口からバック内に楽譜、ノート等を収容し、前記背面上部の開閉口から袋状収容部に譜面台を収容すると、前記楽譜、ノートが譜面台によって曲げられたり、損傷されたりすることになる。
【特許文献１】実開平７−２０８３４号公報
【考案の開示】
【考案が解決しようとする課題】
【０００５】
本考案は、バッグの底部に上部室と仕切られた底部室を設けることにより、楽譜、ノート等の薄物演奏補助具と、譜面台、足台等の堅物演奏補助具とが互いに干渉することなく、円滑に収容できる演奏補助具の収容バッグを得ることを目的とする。
【課題を解決するための手段】
【０００６】
本考案は、上記目的を達成するために以下の如く構成したものである。即ち、請求項１に係る考案は、上部に手提げ及び上部口を有する直方体状のバッグを設け、該バッグの底部に仕切り壁によって上部室と分割された底部室を形成し、前記バッグの底部の側面に前記底部室を開閉する側面開閉具を設ける構成にしたものである。
請求項２に係る考案は、前記上部室は楽譜類の薄物演奏補助具が収容できる容積とし、前記底部室は束状に折り畳んだ譜面台が収容できる容積としたものである。
請求項３に係る考案は、前記側面開閉具により、底部室の左右前後側面のうちの３側面を開閉したものである。
【考案の効果】
【０００７】
請求項１に係る考案は、楽譜、ノート等の薄物演奏補助具を上部口からバッグの上部室に収容し、側面開閉具を開操作して譜面台、足台等の堅物演奏補助具をバッグの底部室に収容すると、前記薄物演奏補助具と堅物演奏補助具とが仕切り壁によって上下に分離されることになる。このため、薄物演奏補助具が堅物演奏補助具によって変形されたり、損傷されたりしなくなる。また、移動時の小物の数が低減し、忘れ物の発生が少なくなる。
請求項２に係る考案は、上部室に楽譜、ノート等の薄物演奏補助具を整然と収容することができ、また、下部室に譜面台を円滑に収容することができるとともに、これらの出し入れが迅速に行なえることになる。
請求項３に係る考案は、側面開閉具により底部室の３側面がを開閉されるので、該底部室に譜面台、足台等の堅物演奏補助具を容易に出し入れすることができる。
【考案を実施するための最良の形態】
【０００８】
以下本考案の実施例を図面に基づいて説明する。図において、図１は本考案の実施例を示す正面図、図２は図１の右側面図、図３は図２のＡ部拡大断面図である。
【０００９】
図１〜図３において、１は演奏補助具の収容バッグであり、織布材により図１において左右の幅Ｗ１が約４３０ｍｍ、上下の高さＨ１が約３５０ｍｍ、図２において左右の厚さＴ１が約９０ｍｍとなる直方体状のバッグ２を形成し、該バッグ２の上部に一対の手提げ３，３を連結してなる。
【００１０】
前記バッグ２は、図３に示すように、内底部に仕切り壁４を逢着し、該仕切り壁４によって内部を上部室５と底部室６とに分割する。前記上部室５の高さＨ２（図１）は約２６０ｍｍとし、該上部室５に楽譜、ノート等の薄物演奏補助具が収容できるようにする。また、前記底部室６の高さＨ３（図１）は約９０ｍｍとし、該底部室６に束状に折り畳んだ譜面台１５が収容できるようにする。
【００１１】
前記上部室５は、その上部の厚さ方向中心部に上部ファスナー７ａによって開閉される上部口７を形成し、該上部口７から前記上部室５に楽譜、ノート等の薄物演奏補助具が出し入れできるようにする。また、前記底部室６の側面に側面開閉具８ａによって開閉される側面口８を形成し、該側面口８から底部室６に束状に折り畳んだ譜面台１５が収容できるようにする。
【００１２】
前記底部室６は、図３に示すように、その正面（前面）シート６ａ、左右側面シート６ｂ，６ｂ、背面（後面）シート６ｃを、前記上部室５の正面（前面）シート５ａ、左右側面シート５ｂ，５ｂ、背面（後面）シート５ｃの延長線上に位置させ、底面は底面シート６ｄによって閉塞する。これにより、前記底部室６は上部室５から下方に延長するとともに、図１において左右に細長い直方体状とする。
【００１３】
前記底部室６を開閉する側面開閉具８ａはファスナーからなり、底部からの高さ位置Ｈ４を約６５ｍｍとし、この部位にて正面（前面）シート５ａ、左右側面シート５ｂ，５ｂの３面に取り付けられ、該３面を開閉するようになっている。
【００１４】
図１及び図２において、１０は上部室５の正面シート５ａに逢着した正面ポケットであり、その上面はシート製の開閉蓋１１によって開閉される。また、前記上部室５の内部は、仕切り壁（図示省略）によって厚さ方向（図２において左右方向）に複数に仕切られ、楽譜、ノート等の薄物演奏補助具が区分けして収容できるようになっている。
【００１５】
前記実施例によれば、上部ファスナー７ａを開操作して楽譜、ノート等の薄物演奏補助具を上部口７からバッグ２の上部室５に収容し、側面開閉具９を開操作して例えば折り畳んだ束状の譜面台１５を側面口８から底部室６に収容すると、前記薄物演奏補助具と譜面台１５とが仕切り壁４によって上下に分離されることになる。このため、楽譜、ノート等の薄物演奏補助具が譜面台１５によって変形されたり、損傷されたりしなくなるとともに、両者をバッグ２に容易に出し入れすることができる。しかも、形態の異なる楽譜、ノート等の薄物演奏補助具と譜面台１５とを１つのバッグ２に収容できるので、移動時における演奏補助具の忘れ物が低減することになる。
【図面の簡単な説明】
【００１６】
【図１】本考案の実施例を示す正面図である。
【図２】図１の右側面図である。
【図３】図２のＡ部拡大断面図である。
【符号の説明】
【００１７】
１    収容バッグ
２    バッグ
３    手提げ
４    仕切り壁
５    上部室
５ａ  正面（前面）シート
５ｂ  左右側面シート
５ｃ  背面シート
６    底部室
６ａ  正面（前面）シート
６ｂ  左右側面シート
６ｃ  背面シート
６ｄ  底面シート
７    上部口
７ａ  上部ファスナー
８    側面口
８ａ  側面開閉具
１０    正面ポケット
１１    開閉蓋
１５    譜面台
【図１】
0003125834.tif 000003
【図２】
0003125834.tif 000004
【図３】
0003125834.tif 000005